(57)【要約】【課題】  屋外床スラブの防水層を欠損させることなく屋外床スラブの換気を行うことを課題とする。【解決手段】  屋外に設けられる屋外床Ｙの床下空間１１Ｂを形成する床枠組み１２と下部に通気路１１Ａが形成された屋外床Ｙの屋外床下地材１３とから構成され、前記床枠組み１２の上面に前記屋外床下地材１３が設けられた屋外床スラブ１０と、床枠組み１２の上面であって屋外床Ｙを囲うように立設され、屋外床Ｙ側の側面に通気空間２１を有する手摺壁（周壁）２０Ａ及び居室壁（周壁）２０Ｂとを備え、床下空間１１Ｂの下方に下階居室ＳＫが位置し、屋外床スラブ１０の通気路１１Ａと手摺壁２０Ａ及び居室壁２０Ｂの通気空間２１とが連通していることを特徴とする。【選択図】      図１
2006057367.tif 000002
【特許請求の範囲】
【請求項１】
屋外に設けられる屋外床の床下空間を形成する床枠組みと下部に通気路が形成された屋外床の屋外床下地材とから構成され、前記床枠組みの上面に前記屋外床下地材が設けられた屋外床スラブと、
前記床枠組みの上面であって前記屋外床を囲うように立設され、屋外床側の側面に通気空間を有する周壁とを備え、
前記床下空間の下方に下階居室が位置し、
前記屋外床スラブの通気路と前記周壁の通気空間とが連通していることを特徴とする屋外床スラブの通気構造。
【請求項２】
前記屋外床スラブの通気路と前記周壁の通気空間との連通位置及びその周囲に、複数の突起が設けられた突起膜材を設けたことを特徴とする請求項１に記載の屋外床スラブの通気構造。
【請求項３】
下階居室の湿気が床下空間を形成する前記床枠組みを通過して前記屋外床スラブの通気路に入り込むことを特徴とする請求項１に記載の屋外床スラブの通気構造。
【発明の詳細な説明】
【技術分野】
【０００１】
本発明は、屋外床スラブの通気構造に関する。
【背景技術】
【０００２】
従来から下部が居室空間となる屋外床スラブの通気構造については、防水平面部へ脱気筒を取り付ける方法（例えば、特許文献１参照）や給排気口を設けて床面側部から直接外気に連通させる方法（例えば、特許文献２参照）などが提案されている。
特許文献１に記載の屋外床の通気構造は、下階居室の上方に設けられている屋外床の床下空間に連通するように屋外床に連通孔を設け、先端に係止部を有する基筒部を当該連通孔に嵌入した構造となっており、当該基筒部と床下空間とが連通することにより、床下空間の換気が行えるようになっている。
特許文献２に記載の屋外床の通気構造は、下階居室の上方に設けられている屋外床の床下空間が下階居室の外壁に設けた開口部と連通した構造となっていることにより、床下空間の換気が行えるようになっている。
【特許文献１】特開２００３−１９４３７４号公報（段落００２０〜００４１、図２）
【特許文献２】特開平１１−３５０６８２号公報（段落００２０〜００２１、図７）
【発明の開示】
【発明が解決しようとする課題】
【０００３】
しかしながら、特許文献１に記載の屋外床の通気構造では、雨水の浸入防止のために、屋外床の表面よりも高い位置に基筒部を設け、かつ、筒の上部に覆いを設ける必要がある。したがって、屋外床に突起物が設置されるため利用上の制約や障害が生じてしまう。また、特許文献２に記載の発明では、床構造内部での結露発生や断熱欠損等の問題が生じ、安全面や品質上の問題が多い。
また、特許文献１に記載の屋外床の通気構造は、平面防水部に欠損を生じさせるため、長期的に取り合い部での防水性の維持に不安があり、特許文献２に記載の屋外床の通気構造は、外壁防水層に欠損を生じさせるため、長期的に取り合い部での防水性の維持に不安があった。
【０００４】
そこで、本発明では、前記した問題を解決し、屋外床スラブの防水層を欠損させることなく屋外床スラブの換気を行うことを課題とする。
【課題を解決するための手段】
【０００５】
前記課題を解決するため、本発明は、屋外に設けられる屋外床の床下空間を形成する床枠組みと下部に通気路が形成された屋外床の屋外床下地材とから構成され、前記床枠組みの上面に前記屋外床下地材が設けられた屋外床スラブと、前記床枠組みの上面であって前記屋外床を囲うように立設され、屋外床側の側面に通気空間を有する周壁とを備え、前記床下空間の下方に下階居室が位置し、前記屋外床スラブの通気路と前記周壁の通気空間とが連通していることを特徴とする屋外床スラブの通気構造である。
【０００６】
ここで、周壁とは、屋上に立設される壁体であり、例えば、周壁には建物の外壁や、建物の屋上に設けられるパラペットや、バルコニーに設けられる手摺壁などが含まれる。
【０００７】
このように、前記屋外床スラブの通気路と前記周壁の通気空間とが連通していることにより、屋外床スラブの防水層を欠損することなく前記屋外床スラブの通気路の通気を確保することができるようになっている。
また、屋外床スラブの床下空間の湿気が床枠組みの上面を通り抜けて屋外床スラブの通気路に入り込むので、屋外床スラブの床下空間の換気も行うことができるようになっている。
【０００８】
また、本発明は、請求項１に記載の発明であって、前記屋外床スラブの通気路と前記周壁の通気空間との連通位置及びその周囲に、複数の突起が設けられた突起膜材を設けたことを特徴とする屋外床スラブの通気構造である。
【０００９】
このように、前記屋外床スラブの通気路と前記周壁の通気空間との連通位置及びその周囲に、複数の突起が設けられた突起膜材を設けたことにより、屋外床スラブの通気路と周壁の通気空間の間隔を容易に維持することができるようになっている。
【００１０】
また、本発明は、請求項１に記載の発明であって、下階居室の湿気が床下空間を形成する前記床枠組みを通過して前記屋外床スラブの通気路に入り込むことを特徴とする屋外床スラブの通気構造である。
【００１１】
このように、湿気が床枠組みを通過して屋外床スラブの通気路に入り込むことにより、下階居室の通気も確保することができるようになっている。
【発明の効果】
【００１２】
このような屋外床スラブの通気構造によれば、屋外床スラブの防水層を欠損させることなく屋外床スラブの換気を行うことができる。
また、床構造のほかに建物全体の通気構造の一部として本発明の屋外床スラブの通気構造を用いることができる。
また、簡易な施工で済むので経済的で、施工コストを少なくすることができる。
さらに、施工が容易であるので、様々な形状の屋外床スラブに適用することができる。
【発明を実施するための最良の形態】
【００１３】
次に、本発明を実施するための最良の一形態（以下「実施形態」という）について、図面を参照して詳細に説明する。
図１は本発明の屋外床スラブの通気構造の一例を示す部分断面図である。図２（ａ）は図１のＡ部拡大図であり、図２（ｂ）は、図１のＢ部拡大図である。図３は突起膜材の一例を示す斜視図である。
なお、本実施形態において、図１に示すように、周壁を、手摺壁２０Ａと、屋外床Ｙに隣接し、下階居室ＳＫの上方に位置する上階居室ＵＫの居室壁２０Ｂとに区別して説明する。
【００１４】
本発明の実施形態に係る屋外床スラブの通気構造１００は、図１に示すように、屋外床スラブ１０が下階居室ＳＫの上に位置し、その屋外床スラブ１０の後述する屋外床Ｙを囲うように手摺壁（周壁）２０Ａ及び居室壁（周壁）２０Ｂを設けており、屋外床スラブ１０に設けられた通気路１１Ａと手摺壁２０Ａ及び居室壁２０Ｂに設けられた通気空間２１とが連通した構造になっている。この屋外床スラブ１０の通気路１１Ａが手摺壁２０Ａ及び居室壁２０Ｂの通気空間２１と連通することにより、屋外床スラブ１０の通気路１１Ａ内の湿気が手摺壁２０Ａ及び居室壁２０Ｂの通気空間２１を通過して屋外に排気されるようになっている。
【００１５】
屋外床スラブ１０は、図１に示すように、主に床枠組み１２と屋外床下地材１３とから構成されており、屋外床下地材１３の上面には防水下地層１４と防水層１５が施される。
【００１６】
床枠組み１２は、木材が用いられ、図１に示すように、下階居室ＳＫの天井面を構成する下パネル１２Ａと屋外床下地材１３を設けるための上パネル１２Ｂとが枠状に組まれた（図示せず）角材に取り付けられて構成されている。
【００１７】
屋外床下地材１３は、平面視矩形形状となっており、図１に示すように、床枠組み１２の上パネル１２Ｂの上面に設けられる。前記したように、この屋外床下地材１３の上面には防水層１５を設けるための防水下地層１４が施され、その防水下地層１４の上面には防水層１５が施されている。
ここで、防水下地層１４には、例えば、無機質版等を用いることができる。
なお、防水下地層１４の上面に設けられる防水層１５を屋外床Ｙとする。
この屋外床下地材１３には、その下部に溝が設けられており、その下端面を床枠組み１２の上パネル１２Ｂの上面に当接させることで通気路１１Ａが形成される。
【００１８】
手摺壁２０Ａは、屋外床Ｙの平面視における四辺のうちの連続する三辺を囲う（図示せず）ようにして、屋外床スラブ１０の床枠組み１２の外周縁に立設している。そして、居室壁２０Ｂは、屋外床Ｙの平面視における四辺のうちの残された一辺の位置であって屋外床スラブ１０の床枠組み１２に立設している。このようにして屋外床Ｙは、手摺壁２０Ａと居室壁２０Ｂとに囲まれた状態となる。
【００１９】
手摺壁２０Ａは、図１、図２（ａ）及び図２（ｂ）に示すように、壁枠組み２２Ａと外壁パネル２３と笠木２４とから主に構成されている。
壁枠組み２２Ａは、木材が用いられ、枠状に組まれた（図示せず）角材に、屋外床Ｙ側に位置する屋外床側パネル２２１と外側に位置する外側パネル２２２とが取り付けられて構成されている。この壁枠組み２２Ａは、枠状の所定の一辺を構成する角材が屋外床スラブ１０の床枠組み１２の上パネル１２Ｂの上面に当接される。
【００２０】
そして、外壁パネル２３は、所定の間隔を有して壁枠組み２２Ａの屋外床側パネル２２１の屋外床Ｙ側表面に取り付けられる。これにより、外壁パネル２３と屋外床側パネル２２１とで空けられた所定の間隔が通気空間２１となる。ここで、外壁パネル２３の上端部が屋外床側パネル２２１の上端部より低い位置で、かつ、後述する笠木２４で隠れるように屋外床側パネル２２１に取り付けられる。
【００２１】
この通気空間２１は、屋外床スラブ１０の通気路１１Ａと連通しており、笠木２４で経路が下方に曲げられて湿気が外部に排気されるようになっている。
また、笠木２４は、長尺であって、断面視略逆Ｕ字型の形状となっており、通気空間２１の上方を覆うように、床枠組み１２の上パネル１２Ｂの上面に当接する壁枠組み２２Ａの角材に対して相対する位置の角材、つまり、床枠組み１２の上部に位置する角材に取り付けられる。
【００２２】
また、居室壁２０Ｂは、図１に示すように、壁枠組み２２Ｂと外壁パネル２３とから主に構成されている。壁枠組み２２Ｂは、屋外床Ｙ側に位置する屋外床側パネル２２１と上階居室ＵＫ側に位置する室内側パネル２２３とが枠状に組まれた（図示せず）角材に取り付けられて構成されている。この壁枠組み２２Ｂの所定の一辺を構成する角材が屋外床スラブ１０の床枠組み１２の上パネル１２Ｂの上面に当接される。また、外壁パネル２３は、前記した手摺壁２０Ａと同様に取り付けられ、屋外床スラブ１０の通気路１１Ａと連通する通気空間２１を通過する湿気は、図示しない屋根側で排気される。
【００２３】
ここで、図１及び図２（ｂ）に示すように、連通する屋外床スラブ１０の通気路１１Ａと手摺壁２０Ａ及び居室壁２０Ｂの通気空間２１との連通位置及びその周辺には、突起膜材３０が設けられている。
突起膜材３０は、図３に示すように、平面部３１と突起部３２とから構成され、平面部３１の一方の表面に複数の突起部３２が形成されている。
この突起膜材３０の略半分が屋外床スラブ１０の通気路１１Ａ内であって、平面部３１の突起部３２が形成されていない面が屋外床下地材１３の外周縁側の下部に取り付けられ、残りの略半分が手摺壁２０Ａ及び居室壁２０Ｂの通気空間２１内に設けられる。このとき、突起膜材３０の突起部３２の頂点は、床枠組み１２の上パネル１２Ｂの上面及び壁枠組み２２Ａ，２２Ｂの屋外床側パネル２２１，２２１に接触した状態になっている。
このように、突起膜材３０は、屋外床スラブ１０の通気路１１Ａと手摺壁２０Ａ及び居室壁２０Ｂの通気空間２１との連通位置及びその周囲に設けたことにより、屋外床スラブ１０の通気路１１Ａと手摺壁２０Ａ及び居室壁２０Ｂの通気空間２１の間隔を容易に維持することができる。
【００２４】
次に、本発明の屋外床スラブの通気構造１００における湿気の通過過程を説明する。
まず、図１に示すように、屋外床スラブ１０の通気路１１Ａ内の湿気は、前記したように、手摺壁２０Ａ及び居室壁２０Ｂの通気空間２１を通って外部へ排気される。
したがって、屋外床スラブ１０の防水層が欠損して通気路１１Ａが湿気た状態となった場合でも、その湿気を屋外に排気することができる。
また、屋外床スラブ１０の床枠組み１２によって形成される床下空間１１Ｂは、屋外床スラブ１０の通気路１１Ａ、手摺壁２０Ａ及び居室壁２０Ｂの通気空間２１のどちらにも連通していないが、この床下空間１１Ｂ内の湿気は、床枠組み１２の上パネル１２Ｂを通り抜けて屋外床スラブ１０の通気路１１Ａに入り込むことができる。したがって、床下空間１１Ｂ内の湿気は、通気路１１Ａと手摺壁２０Ａ及び居室壁２０Ｂの通気空間２１とをと通過して屋外に排気される。
同様に、下階居室ＳＫの湿気は、床枠組み１２の下パネル１２Ａを通り抜けて床下空間１１Ｂに入り込むことができる。したがって、下階居室ＳＫの湿気は、床下空間１１Ｂと屋外床スラブ１０の通気路１１Ａと手摺壁２０Ａ及び居室壁２０Ｂの通気空間２１とをと通過して屋外に排気される。
【００２５】
このように、屋外床スラブの通気構造を構成したので、屋外床スラブの防水層を欠損させることなく屋外床スラブの換気を行うことができる。
また、床構造のほかに建物全体の通気構造の一部として本発明の屋外床スラブの通気構造を用いることができる。
また、簡易な施工で済むので経済的で、施工コストを少なくすることができる。
【００２６】
以上、本発明の実施形態について説明したが、本発明は前記実施形態には限定されない。例えば、屋外床Ｙを手摺壁２０Ａと居室壁２０Ｂとで囲んだ構成としたが、この屋外床Ｙの全周を手摺壁２０Ａで囲んだ構成としても良いし、居室壁２０Ｂで屋外床Ｙの全周を囲んだ構成としても良い。
また、屋外床の形状は平面視矩形形状に限定されず、様々な形状となっていても適用することができる。
また、屋外床の配置位置は、建物の外周縁部に限定されず、建物の内部側に位置させても良い。
また、突起膜材は、平面部３１と突起部３２とを有した構成に限定されず、例えば、可とう性を有する波板のように、設置する床及び外壁パネルとの間に、必要な通気路又は通気空間を形成しうるものであれば良く、また、硬質のＬ型形状の形成部材を用いても良い。
また、床枠組みは木材に限定されず、湿気を通す木質材料を用いても良い。
【図面の簡単な説明】
【００２７】
【図１】本発明の屋外床スラブの通気構造の一例を示す部分断面図である。
【図２】（ａ）は図１のＡ部拡大図であり、（ｂ）は、図１のＢ部拡大図である。
【図３】突起膜材の一例を示す斜視図である。
【符号の説明】
【００２８】
１００  屋外床スラブの通気構造
１０    屋外床スラブ
１１Ａ  通気路
１１Ｂ  床下空間
１２    床枠組み
１２Ａ  下パネル
１２Ｂ  上パネル
１３    屋外床下地材
１４    防水下地層
１５    防水層
２０Ａ  手摺壁（周壁）
２０Ｂ  居室壁（周壁）
２１    通気空間
２２Ａ  壁枠組み
２２Ｂ  壁枠組み
２２１  屋外床側パネル
２２２  外側パネル
２２３  室内側パネル
２３    外壁パネル
２４    笠木
３０    突起膜材
３１    平面部
３２    突起部
Ｙ      屋外床
ＵＫ    上階居室
ＳＫ    下階居室
【図１】
2006057367.tif 000003
【図２】
2006057367.tif 000004
【図３】
2006057367.tif 000005